(57)【要約】【課題】水を導く管（筒）内で詰まりが生じにくく、豪雨等で流速が増して乱流が起きたとしても、確実に止水ができる簡易な構造の灌漑用水止水栓を提供すること。【解決手段】灌漑用水止水栓１００は、田圃と用水路Rとの間に起立させて設置される。上記詳細に説明したように、田圃の水が少ない水位ｈ１の時に、内筒２を外筒１から引っ張り出して給水状態にしておくと、フロート５が水面に追従して上下していく。そして、適量の水位ｈ２になると、内筒２が内筒１内に引っ張り込まれて止水状態になる。【選択図】図４
2013198413.tif 000002
【特許請求の範囲】
【請求項１】
設置時に、下に開口する下開口、上に開口する上開口、前記下開口側の周面の一部を開口させた給水口、及び、前記上開口側の周面の一部を開口させた挿入口を形成され、起立させて設置される外筒と、
前記外筒内を上下にスライド可能な内筒と、
前記外筒内から上側に突出した前記内筒を前記外筒内に引っ張るように付勢する付勢手段と、
水に浮くフロートと、
一端側に前記フロートを取り付けたシャフトと、
前記フロートの上下動に伴う前記シャフトの回動によって前記シャフトの他端側が前記挿入口に挿抜自在になるように前記シャフトを軸支する軸支手段と、を備えることを特徴とする灌漑用水止水栓。
【発明の詳細な説明】
【技術分野】
【０００１】
本発明は、用水路から田圃へ供給する灌漑用水を適度な水位で止水するのに好適な灌漑用水止水栓に関する。
【背景技術】
【０００２】
一般に、農家では、一日に数回、田圃へ出向いて給水作業を行い、更に、田圃へ出向いて止水作業を行う必要がある。このような給水作業及び止水作業は、稲の生長や天気の状態によって、シロカキ時期から稲刈り直前までの半年間続けなければならない。そのため、従来、灌漑用水の水量をコントロールする技術として、特許文献１〜３等に記載のものが知られている。
【０００３】
この特許文献１には、筒体の中に取り付けられたフロートによって水位を調節する技術が記載されている。
【０００４】
また、特許文献２には、外筒及び内筒に矩形状の複数の切り欠きを形成し、水位に伴って上下するフロートによって切り欠きの開閉を切り替えて水量を調節する技術が記載されている。
【０００５】
また、特許文献３には、筒体の中にフロート状の球体弁が取り付けられ、その球体弁に接続されるフロートの水位に伴って球体弁を開閉して水量を調節する技術が記載されている。
【先行技術文献】
【特許文献】
【０００６】
【特許文献１】特開２０００−２０１５５１号公報
【特許文献２】特開２００２−３３５７８１号公報
【特許文献３】特開２００９−１１２２９６号公報
【発明の概要】
【発明が解決しようとする課題】
【０００７】
しかしながら、上記特許文献１に記載の技術は、筒体の中にフロートが取り付けられるため、豪雨等の後に、フロートやその機構に伐採された植物等の不純物が引っかかって、筒内が詰まりやすく、また、詰まった場合の除去作業が大変という問題がある。
【０００８】
また、上記特許文献２に記載の技術は、外筒及び内筒に矩形状の複数の切り欠きを形成する必要があるため、製造に手間が掛かるという問題がある。
【０００９】
また、上記特許文献３に記載の技術は、筒体の中にフロート状の球体弁を取り付けるようになっているため、豪雨等で水流が速くなったときに乱流が生じると、筒内で球体が振動してしまって、流量をコントロールできなくなってしまう可能性がある。
【００１０】
そこで、本発明は、水を導く管（筒）内で詰まりが生じにくく、豪雨等で流速が増して乱流が起きたとしても、確実に止水ができる簡易な構造の灌漑用水止水栓を提供することを目的とする。
【課題を解決するための手段】
【００１１】
そこで、本発明の灌漑用水止水栓は、設置時に、下に開口する下開口、上に開口する上開口、前記上開口側の周面の一部を開口させた挿入口、及び、前記下開口側の周面の一部を開口させた給水口を形成され、起立させて設置される外筒と、
前記外筒内を上下にスライド可能な内筒と、
前記外筒内から上側に突出した前記内筒を前記外筒内に引っ張るように付勢する付勢手段と、
水に浮くフロートと、
一端側に前記フロートを取り付けたシャフトと、
前記フロートの上下動に伴う前記シャフトの回動によって前記シャフトの他端側が前記挿入口に挿抜自在になるように前記シャフトを軸支する軸支手段と、を備えることを特徴とする。
【００１２】
この構成の灌漑用水止水栓は、田圃に給水が必要な時、つまり、水位が低い時に、外筒から内筒を引っ張り出されて、シャフトの他端側を挿入口に挿入させる。これによって、シャフトの他端側が、内筒が外筒内に戻らないように、内筒の下側端を押さえているため、給水口と下開口とが連通して、用水路からの水が給水路及び下開口を通って田圃に流入する。このとき、シャフトの一端側のフロートは、田圃の水面に浮かんでいるため、低い水位に合わせて下方に下がった状態になっている。
【００１３】
そして、田圃の水位が上がってくると、それに伴ってフロートが上昇し、シャフトを回転させていくため、次第に、シャフトの他端側が挿入口から抜き出されていく。これによって、田圃の水位が所望の高さになったとき、シャフトの他端側が挿入口から抜け、内筒の押さえがなくなって、内筒が外筒内に引き込まれる。これによって、給水口と下開口との間に内筒の周面が位置して、用水路から田圃へ供給する水を止めることができる。
なお、シャフトを矩形に構成することにより、稲の育成に必要となる水位の調整はフロートと矩形シャフトの両方の調整により極めて調整範囲の広い調整が可能となる。
【００１４】
したがって、この構成によれば、外筒内をスライドする内筒の下動だけで水の止水を行うため、水を導く管（筒）内で詰まりが生じにくく、また、豪雨等で流速が増して乱流が起きたとしても、付勢手段によって内筒の下動を補助するため確実に止水ができ、内筒、外筒及びフロートを用いる簡易な構造の灌漑用水止水栓を提供することができる。
【図面の簡単な説明】
【００１５】
【図１】本発明の実施形態の灌漑用水止水栓を示す斜視図であり、給水状態を示す。
【図２】図１に示す灌漑用水止水栓の止水状態を示す斜視図である。
【図３】図１に示す灌漑用水止水栓の外筒及び内筒を説明する斜視図であり、（A）に給水状態、（B）に止水状態を示す。
【図４】図１に示す灌漑用止水栓の使用例を説明する図であり、（A）に給水状態、（B）に止水状態を示す。
【発明を実施するための形態】
【００１６】
−実施形態−
図１は、本発明の実施形態の灌漑用水止水栓を示す斜視図であり、給水状態を示す。図２は、図１に示す灌漑用水止水栓の止水状態を示す斜視図である。灌漑用水止水栓１００は、起立させて設置される外筒１内で内筒２を上下にスライドさせて給水状態と止水状態とを切り替えるものである。その切り替えには、フロート５の浮力を利用している。以下、灌漑用水止水栓１００について図面に基づいて説明する。
【００１７】
外筒１には、下に開口する下開口１１と、上に開口する上開口１２と、前記上開口側の周面の一部を開口させた挿入口１３と、下開口１１側（図中下側）の周面の一部を開口させた開口筒（給水口）１４とが形成されている。なお、外筒１は、円筒形状をしているが、これに限らず、断面四角形状等の筒であってもよい。下開口１１は、外筒１の底面に位置しているが、開口筒１４と同じ高さ程度の周面を切り欠いた形状であってもよく、この場合、底面が開口していなくてもよい。上開口１２は、内筒２がスライド可能であれば構わないため、内筒２の上部が位置可能な空間を有していることを意味する。そのため、内筒２のスライド範囲よりも長い外筒１を用いる場合、外筒１の上部に蓋を被せた構造であってもよい。
【００１８】
内筒２は、ここでは、下に開口する下開口２１及び上に開口する上開口２２を形成され、外筒１の内壁をスライド可能な形状となっている。なお、内筒２の内壁は、外筒１の内壁の形状に合わせて成型すればよい。また、灌漑用水止水栓１００は、内筒２に水を流す構造ではないため、上端及び下端に蓋をした構造としてもよく、また、空洞の無い柱体としてもよい。
【００１９】
外筒１の上側端には、取付具１５，１６が取り付けられている。内筒２の上側端には、取付具２３，２４が取付棒２５によって内筒２の２つの穴（不図示）に軸支されている。取付具１５，１６と取付具２３，２４との間には、つるまきばね３，４がそれぞれ接続されている。つるまきばね３，４は、伸ばしたときに縮まる方向に付勢する弾性力を働かせる特性を有する。そのため、外筒１内が水で満たされていたとしても、つるまきばね３，４の弾性力によって外筒１内に内筒２を引き込むことができる。
【００２０】
また、外筒１の上側縁の取付具１５には、取付具１７が取り付けられている。この取付具１７には、軸支部分で略逆L字形状に成型されたシャフト６が軸体１８によって軸支されている。シャフト６の長尺の一端側には、フロート５が取り付けられている。このフロート５は、中空球状体であり、水面に浮く構造になっている。なお、球状体でなくてもその形状は構わない。シャフト６の短尺の他端側は、さらに、略L字形状に成型され、その先端の突部６１を挿入口１３に差し入れ可能になっている。
【００２１】
一方、外筒１の開口筒１３には、延長筒７が挿入され、長さが調節自在になっている。また、この延長筒７の先端には、ホース等を接続するようにしてもよい。同様に、外筒１の下開口１１にもホース等を接続してもよい。
【００２２】
以上の構成の灌漑用水止水栓１００の動作を説明する。図１に示すように、給水時には、内筒２を引き上げて突部６１を挿入口１３に差し入れた状態を保持させる。これによって、矢印に示すように、延長筒７の右側開口から水が流入し、外筒１の内壁内を通って下開口１１から水を排出する。このとき、フロート５は、水位ｈ１の位置の水面に浮上している。
【００２３】
そして、水位が上がってフロート５が水位ｈ２の位置の水面に浮上すると、図２に示すように、突部６１が挿入口１３から外れ、つるまきばね３，４及び自重によって内筒２が外筒１内に引っ張り込まれる。すると、延長筒７の右側開口から流入していた水が止められる。
【００２４】
続いて、外筒１及び内筒２の水の止水の構造についてさらに詳細に説明する。図３は、図１に示す灌漑用水止水栓の外筒及び内筒を説明する斜視図であり、（A）に給水状態、（B）に止水状態を示す。給水時には、内筒２が上側に逃げているため、外筒１の内壁が開口筒１４の開口から覗いている。そのため、開口筒１４と下開口１１とが外筒１の内壁内で連通している。一方、止水時には、内筒２が下側に下がっているため、内筒２の周面が開口筒１４の開口を遮ってしまい、開口筒１４の開口が内筒２によって遮られている。このように、内筒２の周面が開口筒１４の弁の機能を備えている。
【００２５】
最後に、田圃への設置状態を簡単に説明する。図４は、図１に示す灌漑用止水栓の使用例を説明する図であり、（A）に給水状態、（B）に止水状態を示す。灌漑用水止水栓１００は、田圃と用水路Rとの間に起立させて設置される。上記詳細に説明したように、田圃の水が少ない水位ｈ１の時に、内筒２を外筒１から引っ張り出して給水状態にしておくと、フロート５が水面に追従して上下していく。そして、適量の水位ｈ２になると、内筒２が内筒１内に引っ張り込まれて止水状態になる。
【００２６】
以上の構成の灌漑用水止水栓１００によれば、外筒１内をスライドする内筒２の下動だけで水の止水を行うため、水を導く管（筒）内で詰まりが生じにくく、また、豪雨等で流速が増して乱流が起きたとしても、つるまきばね３，４によって内筒２の下動を補助するため確実に止水ができる。また、内筒２、外筒１及びフロート５を用いる簡易な構造の灌漑用水止水栓１００を提供することができる。
なお、この灌漑用止水栓１００への水の流入の際に開口筒１４や延長筒７へ、図示しない塵取りネット等を取り付けることにより、よりスムースな水の制御が可能となる。
【符号の説明】
【００２７】
１００  水栓
１  外筒
１１  下開口
１２  上開口
１３  挿入口
１４  開口筒（給水口）
１５，１６  取付具
１７  取付具
１８  軸体
２  内筒
２１  下開口
２２  上開口
２３，２４  取付具
２５  取付棒
３，４  つるまきばね
５  フロート
６  シャフト
６１  突部
７  延長筒
【図１】
2013198413.tif 000003
【図２】
2013198413.tif 000004
【図３】
2013198413.tif 000005
【図４】
2013198413.tif 000006